(57)【特許請求の範囲】
【請求項１】
ネットワーク診断処理のための方法であって、
第1のネットワークトンネルソース端により、第1のネットワーク層で、命令センターによって送信されたネットワーク診断命令を受信するステップと、
前記第1のネットワークトンネルソース端により、前記第1のネットワーク層で診断メッセージを第1のネットワークトンネルピア端の第1のネットワーク層に送信し、それにより、前記第1のネットワークトンネルピア端が、前記第1のネットワーク層で特性情報を含む診断結果を前記命令センターに報告する、ステップであって、前記診断メッセージが前記特性情報を伝達する、ステップと、
前記第1のネットワークトンネルソース端により、第2のネットワーク層で前記診断メッセージを前記第1のネットワークトンネルピア端の第2のネットワーク層に送信し、それにより、前記第1のネットワークトンネルピア端が、前記第2のネットワーク層で前記特性情報を含む診断結果を前記命令センターに報告する、ステップと
を含む方法。
【請求項２】
前記第1のネットワークトンネルソース端により、前記第2のネットワーク層で前記診断メッセージを前記第1のネットワークトンネルソース端の第3のネットワーク層に送信するステップと、
前記第1のネットワークトンネルソース端により、前記第3のネットワーク層で前記診断メッセージを前記第1のネットワークトンネルピア端の第3のネットワーク層に送信し、それにより、前記第1のネットワークトンネルピア端が、前記第3のネットワーク層で前記特性情報を含む診断結果を前記命令センターに報告する、ステップと
をさらに含むか、または、
前記第1のネットワークトンネルソース端により、前記第1のネットワーク層で前記診断メッセージを前記第1のネットワークトンネルソース端の第3のネットワーク層に送信するステップと、
前記第1のネットワークトンネルソース端により、前記第3のネットワーク層で前記診断メッセージを前記第1のネットワークトンネルピア端の第3のネットワーク層に送信し、それにより、前記第1のネットワークトンネルピア端が、前記第3のネットワーク層で前記特性情報を含む診断結果を前記命令センターに報告する、ステップと
をさらに含む、請求項1に記載の方法。
【請求項３】
前記第1のネットワーク層がトンネル層であり、
前記第2のネットワーク層がネットワークプロトコル層であり、
前記第3のネットワーク層がデータリンク層である、請求項2に記載の方法。
【請求項４】
前記特性情報がテナント情報およびテスト情報シリアル番号を含む、請求項1から3のいずれか一項に記載の方法。
【請求項５】
前記特性情報が前記診断メッセージのペイロードフィールドで伝達される、請求項1から4のいずれか一項に記載の方法。
【請求項６】
前記第1のネットワークトンネルソース端により、前記第1のネットワーク層でクロス管理ドメイン通知情報を前記第1のネットワークトンネルピア端の前記第1のネットワーク層に送信し、それにより、前記第1のネットワークトンネルピア端が、前記第1のネットワーク層で前記診断メッセージを第2のネットワークトンネルソース端の第1のネットワーク層に送信する、ステップ
をさらに含む、請求項2に記載の方法。
【請求項７】
前記第1のネットワークトンネルソース端により、前記第2のネットワーク層で前記クロス管理ドメイン通知情報を前記第1のネットワークトンネルピア端の前記第2のネットワーク層に送信し、それにより、前記第1のネットワークトンネルピア端が、前記第2のネットワーク層で前記診断メッセージを前記第2のネットワークトンネルソース端の第2のネットワーク層に送信する、ステップ、
および／または、
前記第1のネットワークトンネルソース端により、前記第3のネットワーク層で前記クロス管理ドメイン通知情報を前記第1のネットワークトンネルピア端の前記第3のネットワーク層に送信し、それにより、前記第1のネットワークトンネルピア端が、前記第3のネットワーク層で前記診断メッセージを前記第2のネットワークトンネルソース端の第3のネットワーク層に送信する、ステップ
をさらに含む、請求項6に記載の方法。
【請求項８】
前記クロス管理ドメイン通知情報が、前記第1のネットワークトンネルソース端の各ネットワーク層によって前記第1のネットワークトンネルピア端の対応するネットワーク層に送信される診断メッセージで伝達される、請求項6または7に記載の方法。
【請求項９】
ネットワーク診断処理のための方法であって、
第2のネットワークトンネルソース端により、第1のネットワーク層で、第1のネットワークトンネルピア端によって送信された診断メッセージを受信するステップであって、前記診断メッセージが特性情報を伝達する、ステップと、
前記第2のネットワークトンネルソース端により、前記第1のネットワーク層で前記診断メッセージを第2のネットワークトンネルピア端の第1のネットワーク層に送信し、それにより、前記第2のネットワークトンネルピア端が、前記第1のネットワーク層で前記特性情報を含む診断結果を命令センターに報告する、ステップであって、前記診断メッセージが前記特性情報を伝達する、ステップと、
前記第2のネットワークトンネルソース端により、第2のネットワーク層で前記診断メッセージを前記第2のネットワークトンネルピア端の第2のネットワーク層に送信し、それにより、前記第2のネットワークトンネルピア端が、前記第2のネットワーク層で前記特性情報を含む診断結果を前記命令センターに報告する、ステップと
を含む方法。
【請求項１０】
ネットワーク診断命令を第1のネットワークトンネルソース端の第1のネットワーク層に送信するように構成され、それにより、前記第1のネットワークトンネルソース端が、前記第1のネットワーク層で診断メッセージを第1のネットワークトンネルピア端の第1のネットワーク層に送信し、前記第1のネットワークトンネルソース端の第2のネットワーク層が、前記診断メッセージを前記第1のネットワークトンネルピア端の第2のネットワーク層に送信する、送信モジュールであって、前記診断メッセージが特性情報を含む、送信モジュールと、
前記第1のネットワークトンネルピア端の前記第1のネットワーク層、前記第2のネットワーク層、および第3のネットワーク層によって前記診断メッセージに従って報告される診断結果を受信するように構成された第1の受信モジュールであって、前記診断結果が前記特性情報を含む、第1の受信モジュールと、
前記第1のネットワーク層、前記第2のネットワーク層、および前記第3のネットワーク層によって報告される前記診断結果に関する関連付け分析を前記特性情報に従って実行するように構成された第1の関連付けモジュールと、
第2のネットワークトンネルピア端の第1のネットワーク層、第2のネットワーク層、および第3のネットワーク層によって前記診断メッセージに従って報告される診断結果を受信するように構成された第2の受信モジュールであって、前記診断結果が前記特性情報を含む、第2の受信モジュールと、
前記第1のネットワークトンネルピア端の前記第1のネットワーク層、前記第2のネットワーク層、および前記第3のネットワーク層によって、かつ前記第2のネットワークトンネルピア端の前記第1のネットワーク層、前記第2のネットワーク層、および前記第3のネットワーク層によって報告される前記診断結果に関する関連付け分析を前記特性情報に従って実行するように構成された第2の関連付けモジュールと
を備える、命令センター。
【請求項１１】
ネットワークノードデバイスであって、
第1のネットワーク層で、命令センターによって送信されたネットワーク診断命令を受信するように構成された受信モジュールと、
前記第1のネットワーク層で診断メッセージを第1のネットワークトンネルピア端の第1のネットワーク層に送信するように構成され、それにより、前記第1のネットワークトンネルピア端が、前記第1のネットワーク層で特性情報を含む診断結果を前記命令センターに報告する、第1の送信モジュールであって、前記診断メッセージが前記特性情報を伝達する、第1の送信モジュールと、
第2のネットワーク層で前記診断メッセージを前記第1のネットワークトンネルピア端の第2のネットワーク層に送信するように構成され、それにより、前記第1のネットワークトンネルピア端が、前記第2のネットワーク層で前記特性情報を含む診断結果を前記命令センターに報告する、第2の送信モジュールと
を備えるデバイス。
【請求項１２】
前記第2のネットワーク層で前記診断メッセージを第1のネットワークトンネルソース端の第3のネットワーク層に送信するように構成された第3の送信モジュールと、
前記第3のネットワーク層で前記診断メッセージを前記第1のネットワークトンネルピア端の第3のネットワーク層に送信するように構成され、それにより、前記第1のネットワークトンネルピア端が、前記第3のネットワーク層で前記特性情報を含む診断結果を前記命令センターに報告する、第4の送信モジュールと
をさらに備えるか、または、
前記第1のネットワーク層で前記診断メッセージを第1のネットワークトンネルソース端の第3のネットワーク層に送信するように構成された第5の送信モジュールと、
前記第3のネットワーク層で前記診断メッセージを前記第1のネットワークトンネルピア端の第3のネットワーク層に送信するように構成され、それにより、前記第1のネットワークトンネルピア端が、前記第3のネットワーク層で前記特性情報を含む診断結果を前記命令センターに報告する、第6の送信モジュールと
をさらに備える、請求項11に記載のデバイス。
【請求項１３】
前記第1のネットワーク層がトンネル層であり、
前記第2のネットワーク層がネットワークプロトコル層であり、
前記第3のネットワーク層がデータリンク層である、請求項12に記載のデバイス。
【請求項１４】
前記特性情報がテナント情報およびテスト情報シリアル番号を含む、請求項11から13のいずれか一項に記載のデバイス。
【請求項１５】
前記特性情報が前記診断メッセージのペイロードフィールドで伝達される、請求項11から14のいずれか一項に記載のデバイス。
【請求項１６】
前記第1のネットワーク層でクロス管理ドメイン通知情報を前記第1のネットワークトンネルピア端の前記第1のネットワーク層に送信するように構成され、それにより、前記第1のネットワークトンネルピア端が、前記第1のネットワーク層で前記診断メッセージを第2のネットワークトンネルソース端の第1のネットワーク層に送信する、第7の送信モジュールをさらに備える、請求項12に記載のデバイス。
【請求項１７】
第8の送信モジュールをさらに備え、前記第8の送信モジュールは、
前記第2のネットワーク層で前記クロス管理ドメイン通知情報を前記第1のネットワークトンネルピア端の前記第2のネットワーク層に送信するように構成され、それにより、前記第1のネットワークトンネルピア端が、前記第2のネットワーク層で前記診断メッセージを前記第2のネットワークトンネルソース端の第2のネットワーク層に送信し、
および／または、
前記第1のネットワークトンネルソース端により、前記第3のネットワーク層で前記クロス管理ドメイン通知情報を前記第1のネットワークトンネルピア端の前記第3のネットワーク層に送信するように構成され、それにより、前記第1のネットワークトンネルピア端が、前記第3のネットワーク層で前記診断メッセージを前記第2のネットワークトンネルソース端の第3のネットワーク層に送信する、請求項16に記載のデバイス。
【請求項１８】
前記クロス管理ドメイン通知情報が、前記第1のネットワークトンネルソース端の各ネットワーク層によって前記第1のネットワークトンネルピア端の対応するネットワーク層に送信される診断メッセージで伝達される、請求項16または17に記載のデバイス。
【請求項１９】
ネットワークノードデバイスであって、
第1のネットワーク層で、第1のネットワークトンネルピア端によって送信された診断メッセージを受信するように構成された受信モジュールであって、前記診断メッセージが特性情報を伝達する、受信モジュールと、
前記第1のネットワーク層で前記診断メッセージを第2のネットワークトンネルピア端の第1のネットワーク層に送信するように構成され、それにより、前記第2のネットワークトンネルピア端が、前記第1のネットワーク層で前記特性情報を含む診断結果を命令センターに報告する、第1の送信モジュールであって、前記診断メッセージが前記特性情報を伝達する、第1の送信モジュールと、
第2のネットワーク層で前記診断メッセージを前記第2のネットワークトンネルピア端の第2のネットワーク層に送信するように構成され、それにより、前記第1のネットワークトンネルピア端が、前記第2のネットワーク層で前記特性情報を含む診断結果を前記命令センターに報告する、第2の送信モジュールと
を備えるデバイス。
【発明の詳細な説明】
【技術分野】
【０００１】
この出願は、2014年3月5日に中国専利局に出願された、「METHOD AND APPARATUS FOR NETWORK DIAGNOSIS PROCESSING」と題する中国特許出願第201410079062.6号に対する優先権を主張するものであり、上記中国特許出願の全体が参照により組み込まれる。
【０００２】
本発明の実施形態は、通信技術の分野に関し、特に、ネットワーク診断処理のための方法および装置に関する。
【背景技術】
【０００３】
2つのネットワーク通信端にあるデバイスは、通常、複数のネットワーク層およびネットワーク管理ドメインに及び、2つの端末デバイスは、インターネットプロトコル（IP）を使用して互いに通信する。2つの端末デバイス間の通信のために使用されるIPパケットが、ネットワーク仮想化オーバーレイエンドポイント（Network Virtualization Overlay Endpoint、NVE）によりネットワークトンネルにおいてカプセル化され、このトンネルは、実際には、2つの端末間の通信のために使用されるIPパケットにIPデータパケットヘッダを加える。ネットワークトンネルパケットが、イーサネット（登録商標）リンク層またはイーサネットリンク層上のマルチプロトコルラベルスイッチングMPLSトンネルにより伝達される。
【０００４】
先行技術では、保守運用管理（Operation Administration and Maintenance、OAM）技術が複数のネットワーク層に及ばない。その上、OAMは、リンクのピア端で終了し、そのネットワーク層の境界を超えることができない。このことは、サービスの中断または通信品質の劣化などの故障がエンドツーエンド通信ネットワークにおいて起きた場合、各層および各ドメインでOAMを使用してチェックを実施する必要があり、複数の個別のOAMプロシージャを生じさせることを意味する。
【発明の概要】
【課題を解決するための手段】
【０００５】
複数の個別のOAMプロシージャがあるため、各種のネットワーク層間または各種のネットワーク管理ドメイン間での診断レポートの処理、分析および関連付けのプロセスにおける効率の低下および精度の低下という課題が生じる。
【０００６】
本発明の実施態様は、各種のネットワーク層間または各種のネットワーク管理ドメイン間での診断レポートの処理、分析および関連付けのプロセスにおける効率の低下および精度の低下という、先行技術に存在する複数の個別のOAMプロシージャにより生じる課題を克服するような、ネットワーク診断処理のための方法および装置を提供する。
【０００７】
第1の態様では、本発明は、ネットワーク診断処理のための方法を提供し、方法は、
第1のネットワークトンネルソース端により、第1のネットワーク層で、命令センターによって送信されたネットワーク診断命令を受信するステップと、
第1のネットワークトンネルソース端により、第1のネットワーク層で診断メッセージを第1のネットワークトンネルピア端の第1のネットワーク層および第1のネットワークトンネルソース端の第2のネットワーク層に送信し、それにより、第1のネットワークトンネルピア端が、第1のネットワーク層で特性情報を含む診断結果を命令センターに報告する、ステップであって、診断メッセージが特性情報を伝達する、ステップと、
第1のネットワークトンネルソース端により、第2のネットワーク層で診断メッセージを第1のネットワークトンネルピア端の第2のネットワーク層に送信し、それにより、第1のネットワークトンネルピア端が、第2のネットワーク層で特性情報を含む診断結果を命令センターに報告する、ステップとを含む。
【０００８】
第1の態様の第1の可能な実施方式では、方法は、
第1のネットワークトンネルソース端により、第2のネットワーク層で診断メッセージを第1のネットワークトンネルソース端の第3のネットワーク層に送信するステップと、
第1のネットワークトンネルソース端により、第3のネットワーク層で診断メッセージを第1のネットワークトンネルピア端の第3のネットワーク層に送信し、それにより、第1のネットワークトンネルピア端が、第3のネットワーク層で特性情報を含む診断結果を命令センターに報告する、ステップとをさらに含むか、または、
第1のネットワークトンネルソース端により、第1のネットワーク層で診断メッセージを第1のネットワークトンネルソース端の第3のネットワーク層に送信するステップと、
第1のネットワークトンネルソース端により、第3のネットワーク層で診断メッセージを第1のネットワークトンネルピア端の第3のネットワーク層に送信し、それにより、第1のネットワークトンネルピア端が、第3のネットワーク層で特性情報を含む診断結果を命令センターに報告する、ステップとをさらに含む。
【０００９】
第1の態様または第1の態様の第1の可能な実施方式を参照する、第1の態様の第2の可能な実施方式では、第1のネットワーク層がトンネル層であり、第2のネットワーク層がネットワークプロトコル層であり、第3のネットワーク層がデータリンク層である。
【００１０】
第1の態様から第1の態様の第2の可能な実施方式のうちの任意の可能な実施方式を参照する、第1の態様の第3の可能な実施方式では、特性情報がテナント情報およびテスト情報シリアル番号を含む。
【００１１】
第1の態様から第1の態様の第3の可能な実施方式のうちの任意の可能な実施方式を参照する、第1の態様の第4の可能な実施方式では、特性情報が診断メッセージのペイロードフィールドで伝達される。
【００１２】
第1の態様の第1の可能な実施方式を参照する、第1の態様の第5の可能な実施方式では、方法は、
第1のネットワークトンネルソース端により、第1のネットワーク層でクロス管理ドメイン通知情報を第1のネットワークトンネルピア端の第1のネットワーク層に送信し、それにより、第1のネットワークトンネルピア端が、第1のネットワーク層で診断メッセージを第2のネットワークトンネルソース端の第1のネットワーク層に送信する、ステップをさらに含む。
【００１３】
第1の態様の第5の可能な実施方式を参照する、第1の態様の第6の可能な実施方式では、方法は、
第1のネットワークトンネルソース端により、第2のネットワーク層でクロス管理ドメイン通知情報を第1のネットワークトンネルピア端の第2のネットワーク層に送信し、それにより、第1のネットワークトンネルピア端が、第2のネットワーク層で診断メッセージを第2のネットワークトンネルソース端の第2のネットワーク層に送信する、ステップ、および／または、
第1のネットワークトンネルソース端により、第3のネットワーク層でクロス管理ドメイン通知情報を第1のネットワークトンネルピア端の第3のネットワーク層に送信し、それにより、第1のネットワークトンネルピア端が、第3のネットワーク層で診断メッセージを第2のネットワークトンネルソース端の第3のネットワーク層に送信する、ステップをさらに含む。
【００１４】
第1の態様の第5または第6の可能な実施方式を参照する、第1の態様の第7の可能な実施方式では、クロス管理ドメイン通知情報が、第1のネットワークトンネルソース端の各ネットワーク層によって第1のネットワークトンネルピア端の対応するネットワーク層に送信される診断メッセージで伝達される。
【００１５】
第2の態様では、本発明のある実施形態は、ネットワーク診断処理のための方法を提供し、方法は、
第2のネットワークトンネルソース端により、第1のネットワーク層で、第1のネットワークトンネルピア端によって送信された診断メッセージを受信するステップであって、診断メッセージが特性情報を伝達する、ステップと、
第2のネットワークトンネルソース端により、第1のネットワーク層で診断メッセージを第2のネットワークトンネルピア端の第1のネットワーク層および第2のネットワークトンネルソース端の第2のネットワーク層に送信し、それにより、第2のネットワークトンネルピア端が、第1のネットワーク層で特性情報を含む診断結果を命令センターに報告する、ステップであって、診断メッセージが特性情報を伝達する、ステップと、
第2のネットワークトンネルソース端により、第2のネットワーク層で診断メッセージを第2のネットワークトンネルピア端の第2のネットワーク層に送信し、それにより、第1のネットワークトンネルピア端が、第2のネットワーク層で特性情報を含む診断結果を命令センターに報告する、ステップとを含む。
【００１６】
第3の態様では、本発明のある実施形態は、命令センターを提供し、命令センターは、
ネットワーク診断命令を第1のネットワークトンネルソース端の第1のネットワーク層に送信するように構成され、それにより、第1のネットワークトンネルソース端が、第1のネットワーク層で診断メッセージを第1のネットワークトンネルピア端の第1のネットワーク層および第1のネットワークトンネルソース端の第2のネットワーク層に送信し、第1のネットワークトンネルソース端の第2のネットワーク層が、診断メッセージを第1のネットワークトンネルピア端の第2のネットワーク層に送信する、送信モジュールであって、診断メッセージが特性情報を含む、送信モジュールと、
第1のネットワークトンネルピア端の第1のネットワーク層、第2のネットワーク層、および第3のネットワーク層によって診断メッセージに従って報告される診断結果を受信するように構成された第1の受信モジュールであって、診断結果が特性情報を含む、第1の受信モジュールと、
第1のネットワーク層、第2のネットワーク層、および第3のネットワーク層によって報告される診断結果に関する関連付け分析を特性情報に従って実行するように構成された第1の関連付けモジュールと、
第2のネットワークトンネルピア端の第1のネットワーク層、第2のネットワーク層、および第3のネットワーク層によって診断メッセージに従って報告される診断結果を受信するように構成された第2の受信モジュールであって、診断結果が特性情報を含む、第2の受信モジュールと、
第1のネットワークトンネルピア端の第1のネットワーク層、第2のネットワーク層、および第3のネットワーク層によって、かつ第2のネットワークトンネルピア端の第1のネットワーク層、第2のネットワーク層、および第3のネットワーク層によって報告される診断結果に関する関連付け分析を特性情報に従って実行するように構成された第2の関連付けモジュールとを含む。
【００１７】
第4の態様では、本発明のある実施形態は、ネットワークノードデバイスを提供し、デバイスは、
第1のネットワーク層で、命令センターによって送信されたネットワーク診断命令を受信するように構成された受信モジュールと、
第1のネットワーク層で診断メッセージを第1のネットワークトンネルピア端の第1のネットワーク層および第1のネットワークトンネルソース端の第2のネットワーク層に送信するように構成され、それにより、第1のネットワークトンネルピア端が、第1のネットワーク層で特性情報を含む診断結果を命令センターに報告する、第1の送信モジュールであって、診断メッセージが特性情報を伝達する、第1の送信モジュールと、
第2のネットワーク層で診断メッセージを第1のネットワークトンネルピア端の第2のネットワーク層に送信するように構成され、それにより、第1のネットワークトンネルピア端が、第2のネットワーク層で特性情報を含む診断結果を命令センターに報告する、第2の送信モジュールとを含む。
【００１８】
第4の態様の第1の可能な実施方式では、デバイスは、
第2のネットワーク層で診断メッセージを第1のネットワークトンネルソース端の第3のネットワーク層に送信するように構成された第3の送信モジュールと、
第3のネットワーク層で診断メッセージを第1のネットワークトンネルピア端の第3のネットワーク層に送信するように構成され、それにより、第1のネットワークトンネルピア端が、第3のネットワーク層で特性情報を含む診断結果を命令センターに報告する、第4の送信モジュールとをさらに含むか、または、
第1のネットワーク層で診断メッセージを第1のネットワークトンネルソース端の第3のネットワーク層に送信するように構成された第5の送信モジュールと、
第3のネットワーク層で診断メッセージを第1のネットワークトンネルピア端の第3のネットワーク層に送信するように構成され、それにより、第1のネットワークトンネルピア端が、第3のネットワーク層で特性情報を含む診断結果を命令センターに報告する、第6の送信モジュールとをさらに含む。
【００１９】
第4の態様または第4の態様の第1の可能な実施方式を参照する、第4の態様の第2の可能な実施方式では、第1のネットワーク層がトンネル層であり、第2のネットワーク層がネットワークプロトコル層であり、第3のネットワーク層がデータリンク層である。
【００２０】
第4の態様から第4の態様の第2の可能な実施方式のうちの任意の可能な実施方式を参照する、第4の態様の第3の可能な実施方式では、特性情報がテナント情報およびテスト情報シリアル番号を含む。
【００２１】
第4の態様から第4の態様の第3の可能な実施方式のうちの任意の可能な実施方式を参照する、第4の態様の第4の可能な実施方式では、特性情報が診断メッセージのペイロードフィールドで伝達される。
【００２２】
第4の態様の第1の可能な実施方式を参照する、第4の態様の第5の可能な実施方式では、デバイスは、
第1のネットワーク層でクロス管理ドメイン通知情報を第1のネットワークトンネルピア端の第1のネットワーク層に送信するように構成され、それにより、第1のネットワークトンネルピア端が、第1のネットワーク層で診断メッセージを第2のネットワークトンネルソース端の第1のネットワーク層に送信する、第7の送信モジュールをさらに含む。
【００２３】
第4の態様の第5の可能な実施方式を参照する、第4の態様の第6の可能な実施方式では、デバイスは、
第8の送信モジュールをさらに含み、前記第8の送信モジュールは、
第2のネットワーク層でクロス管理ドメイン通知情報を第1のネットワークトンネルピア端の第2のネットワーク層に送信するように構成され、それにより、第1のネットワークトンネルピア端が、第2のネットワーク層で診断メッセージを第2のネットワークトンネルソース端の第2のネットワーク層に送信し、および／または、
第1のネットワークトンネルソース端により、第3のネットワーク層でクロス管理ドメイン通知情報を第1のネットワークトンネルピア端の第3のネットワーク層に送信するように構成され、それにより、第1のネットワークトンネルピア端が、第3のネットワーク層で診断メッセージを第2のネットワークトンネルソース端の第3のネットワーク層に送信する。
【００２４】
第4の態様の第5または第6の可能な実施方式を参照する、第4の態様の第7の可能な実施方式では、クロス管理ドメイン通知情報が、第1のネットワークトンネルソース端の各ネットワーク層によって第1のネットワークトンネルピア端の対応するネットワーク層に送信される診断メッセージで伝達される。
【００２５】
第5の態様では、本発明のある実施形態は、ネットワークノードデバイスを提供し、デバイスは、
第1のネットワーク層で、第1のネットワークトンネルピア端によって送信された診断メッセージを受信するように構成された受信モジュールであって、診断メッセージが特性情報を伝達する、受信モジュールと、
第1のネットワーク層で診断メッセージを第2のネットワークトンネルピア端の第1のネットワーク層および第2のネットワークトンネルソース端の第2のネットワーク層に送信するように構成され、それにより、第2のネットワークトンネルピア端が、第1のネットワーク層で特性情報を含む診断結果を命令センターに報告する、第1の送信モジュールであって、診断メッセージが特性情報を伝達する、第1の送信モジュールと、
第2のネットワーク層で診断メッセージを第2のネットワークトンネルピア端の第2のネットワーク層に送信するように構成され、それにより、第1のネットワークトンネルピア端が、第2のネットワーク層で特性情報を含む診断結果を命令センターに報告する、第2の送信モジュールとを含む。
【００２６】
本発明の実施態様は、ネットワーク診断処理のための方法および装置を提供する。特性情報が各種のネットワークトンネルの各種の層の診断情報で伝達されて、特性情報を使用して診断イベントの層および管理ドメインの関連付けが実現されることによって、各種のネットワーク層間または各種のネットワーク管理ドメイン間での診断結果の処理、分析および関連付けプロセスにおける効率の低下および精度の低下という課題を解決する。
【００２７】
本発明の実施形態または先行技術における技術的解決策をより明確に記述するために、以下では、実施形態または先行技術を記述するために必要とされる添付の図面を簡単に紹介する。当然ながら、以下の説明における添付の図面は、本発明の一部の実施形態を示すものであり、当業者は、それらの添付の図面から創作的労力を伴わずに他の図面を導き出し得る。
【図面の簡単な説明】
【００２８】
【図１】図1は、本発明によるネットワーク診断処理のための方法の第1の実施形態のフローチャートである。
【図２】図2は、ネットワーク診断の概略図である。
【図３】図3は、本発明によるネットワーク診断処理のための方法の第2の実施形態のフローチャートである。
【図４】図4は、本発明による命令センターの第1の実施形態の概略構成図である。
【図５】図5は、本発明によるネットワークノードデバイスの第1の実施形態の概略構成図である。
【図６】図6は、本発明によるネットワークノードデバイスの第2の実施形態の概略構成図である。
【図７】図7は、本発明によるネットワークノードデバイスの第3の実施形態の概略構成図である。
【図８ａ】図8aは、本発明によるネットワークノードデバイスの第4の実施形態の概略構成図である。
【図８ｂ】図8bは、本発明によるネットワークノードデバイスの第5の実施形態の概略構成図である。
【図９ａ】図9aは、本発明によるネットワークノードデバイスの第6の実施形態の概略構成図である。
【図９ｂ】図9bは、本発明によるネットワークノードデバイスの第7の実施形態の概略構成図である。
【図１０】図10は、本発明によるネットワークノードデバイスの第8の実施形態の概略構成図である。
【図１１】図11は、本発明によるネットワークノードデバイスの第9の実施形態の概略構成図である。
【図１２】図12は、本発明によるネットワークノードデバイスの第10の実施形態の概略構成図である。
【図１３】図13は、本発明によるネットワークノードデバイスの第11の実施形態の概略構成図である。
【発明を実施するための形態】
【００２９】
本発明の実施形態の目的、技術的解決策、および利点をより明確にするために、以下では、本発明の実施形態の添付の図面を参照して、本発明の実施形態の技術的解決策を明確かつ十分に記述する。当然ながら、記述する実施形態は、本発明の実施形態の全てではなく一部である。創作的労力を伴わずに本発明の実施形態に基づいて当業者により得られる全ての他の実施形態は、本発明の保護範囲に属するものである。
【００３０】
図1は、本発明によるネットワーク診断処理のための方法の第1の実施形態のフローチャートである。図1に示すように、この実施形態の方法は以下を含み得る。
【００３１】
ステップ101：第1のネットワークトンネルソース端が、第1のネットワーク層で、命令センターにより送信されたネットワーク診断命令を受信する。
【００３２】
具体的に、サービスが中断したりイーサネットの通信品質が低下したりすると、第1のネットワークトンネルソース端が、第1のネットワーク層で、命令センターにより送信されたネットワーク診断命令を受信して、第1のネットワークトンネルソース端の第1のネットワーク層をトリガーしてネットワーク診断を開始させる。
【００３３】
ステップ102：第1のネットワークトンネルソース端は、第1のネットワーク層で診断メッセージを第1のネットワークトンネルピア端の第1のネットワーク層および第1のネットワークトンネルソース端の第2のネットワーク層に送信し、ここで、診断メッセージは特性情報を伝達し、それにより、第1のネットワークトンネルピア端は、第1のネットワーク層で特性情報を含む診断結果を命令センターに報告する。
【００３４】
ステップ103：第1のネットワークトンネルソース端は、第2のネットワーク層で診断メッセージを第1のネットワークトンネルピア端の第2のネットワーク層に送信し、それにより、第1のネットワークトンネルピア端は、第2のネットワーク層で特性情報を含む診断結果を命令センターに報告する。
【００３５】
具体的に、第1のネットワークトンネルソース端が、第1のネットワーク層で、命令センターにより送信された診断命令を受信した後、ネットワークトンネルソース端は、第1のネットワーク層で診断メッセージをネットワークトンネルピア端の第1のネットワーク層に送信し、診断メッセージは特性情報を伝達し、ここで、特性情報は、受信された診断命令に従って第1のネットワークトンネルソース端により生成され、診断命令に対応するテナント情報、テストメッセージシリアル番号その他であり得る。第1のネットワークトンネルソース端は、特性情報を診断メッセージに加え、それをトンネルピア端の第1のネットワーク層に送信し、それにより、ピア端は、第1のネットワーク層で診断結果を命令センターに報告するときに特性情報を診断結果に加える。加えて、第1のネットワークトンネルソース端は、第1のネットワーク層で診断メッセージをネットワークトンネルソース端の第2のネットワーク層に送信して、第2のネットワーク層をトリガーしてネットワーク診断を開始させ、ここで、診断メッセージは特性情報を伝達する。診断メッセージを第2のネットワーク層で受信した後、ネットワークトンネルソース端は、伝達された特性情報を伴う診断メッセージをネットワークトンネルピア端の第2のネットワーク層に送信し、それにより、ネットワークトンネルピア端は、第2のネットワーク層で診断結果を命令センターに報告するときに特性情報を診断結果に加える。ネットワークトンネルピア端は、ネットワークソース端の対応する各ネットワーク層により送信された診断メッセージを受信した後に各ネットワーク層で診断結果を命令センターに報告してもよく、ある期間の後に全ての診断結果をまとめてアップロードしてもよい。この実施形態は、ネットワークトンネルピア端のネットワーク層が診断結果を命令センターに報告する方式を具体的に限定しない。
【００３６】
第1のネットワークトンネルソース端の第3のネットワーク層をトリガーしてネットワーク診断を開始させるための2つの方式がある。
【００３７】
任意選択的に、
第1のネットワークトンネルソース端が、第2のネットワーク層で診断メッセージを第1のネットワークトンネルソース端の第3のネットワーク層に送信すること、および、
第1のネットワークトンネルソース端が、第3のネットワーク層で診断メッセージを第1のネットワークトンネルピア端の第3のネットワーク層に送信し、それにより、第1のネットワークトンネルピア端が、第3のネットワーク層で特性情報を含む診断結果を命令センターに報告することがさらに含まれる。
【００３８】
任意選択的に、
第1のネットワークトンネルソース端が、第1のネットワーク層で診断メッセージを第1のネットワークトンネルソース端の第3のネットワーク層に送信すること、および、
第1のネットワークトンネルソース端が、第3のネットワーク層で診断メッセージを第1のネットワークトンネルピア端の第3のネットワーク層に送信し、それにより、第1のネットワークトンネルピア端が、第3のネットワーク層で特性情報を含む診断結果を命令センターに報告することがさらに含まれる。
【００３９】
具体的に、第1のネットワークトンネルソース端は、第2のネットワーク層で診断メッセージをネットワークトンネルソース端の第3のネットワーク層に送信して、ネットワークトンネルソース端の第3のネットワーク層をトリガーしてネットワーク診断を開始させ、ここで、診断メッセージは特性情報を伝達し、それにより、ネットワークトンネルピア端の第3のネットワーク層は、診断結果を命令センターに報告するときに特性情報を診断結果に加える。第3のネットワーク層をトリガーするこのような方式は、マルチ層リンケージ診断方式と称される。代わりに、診断メッセージは、第1のネットワーク層で第1のネットワークトンネルソース端によってネットワークトンネルソース端の第3のネットワーク層に送信されて、ネットワークトンネルソース端の第3のネットワーク層をトリガーしてネットワーク診断を開始させてもよく、ここで、診断メッセージはまた特性情報を伝達し、それにより、ネットワークトンネルピア端は、第3のネットワーク層で診断結果を命令センターに報告するときに特性情報を診断結果に加える。
【００４０】
さらに、第1のネットワーク層はトンネル層であり、第2のネットワーク層はネットワークプロトコル層であり、第3のネットワーク層はデータリンク層である。
【００４１】
さらに、特性情報は、テナント情報およびテスト情報シリアル番号を含む。
【００４２】
さらに、特性情報は、診断メッセージのペイロードフィールドで伝達される。
【００４３】
具体的に、診断情報のペイロードフィールドが任意に満たされ、具体的な意味を有しないため、特性情報は、診断メッセージのペイロードフィールドで伝達され得る。
【００４４】
さらに、
第1のネットワークトンネルソース端が、第1のネットワーク層でクロス管理ドメイン通知情報を第1のネットワークトンネルピア端の第1のネットワーク層に送信し、それにより、第1のネットワークトンネルピア端が、第1のネットワーク層で診断メッセージを第2のネットワークトンネルソース端の第1のネットワーク層に送信することがさらに含まれる。
【００４５】
さらに、
第1のネットワークトンネルソース端が、第2のネットワーク層でクロス管理ドメイン通知情報を第1のネットワークトンネルピア端の第2のネットワーク層に送信し、それにより、第1のネットワークトンネルピア端が、第2のネットワーク層で診断メッセージを第2のネットワークトンネルソース端の第2のネットワーク層に送信すること、
および／または、
第1のネットワークトンネルソース端が、第3のネットワーク層でクロス管理ドメイン通知情報を第1のネットワークトンネルピア端の第3のネットワーク層に送信し、それにより、第1のネットワークトンネルピア端が、第3のネットワーク層で診断メッセージを第2のネットワークトンネルソース端の第3のネットワーク層に送信することがさらに含まれる。
【００４６】
さらに、クロス管理ドメイン通知情報は、第1のネットワークトンネルソース端の各ネットワーク層により第1のネットワークトンネルピア端の対応するネットワーク層に送信される診断メッセージで伝達される。
【００４７】
具体的に、クロス管理ドメインネットワーク診断が、イーサネットOAMプロトコルを補うことにより実施され得る。例えば、仮想拡張ローカルエリアネットワークVXLANでは、VXLANヘッダのM番目のビットが「1」に設定されると、管理ドメインのクロッシングが実施され、すなわち、第1のネットワークトンネルソース端の第1のネットワーク層が、クロス管理ドメイン通知情報を第1のネットワークトンネルピア端の第1のネットワーク層に送信し、それにより、第1のネットワークトンネルピア端の第1のネットワーク層が、診断メッセージを第2のネットワークトンネルソース端の第1のネットワーク層に送信することが認められ得る。同様に、第1のネットワークトンネルピア端の第1のネットワーク層が、クロス管理ドメイン通知情報をネットワークトンネルピア端の第1のネットワーク層に送信するとき、第1のネットワークトンネルソース端の第2のネットワーク層または第3のネットワーク層も、クロス管理ドメイン通知情報を第1のネットワークトンネルピア端の第2のネットワーク層または第3のネットワーク層に送信し得る。クロス管理ドメイン通知情報は、第1のネットワークトンネルソース端の各ネットワーク層により第1のネットワークトンネルピア端の対応するネットワーク層に送信される診断メッセージで伝達される。図2は、ネットワーク診断の概略図である。図2に示すように、ポイント1が第1のネットワークトンネルソース端の第1のネットワーク層に対応し、ポイント2が第1のトンネルソース端の第2のネットワーク層に対応し、ポイント3がトンネルソース端の第3のネットワーク層に対応し、ポイント7が第1のネットワークトンネルソース端の第1のネットワーク層のピア端に対応し、ポイント6が第1のネットワークトンネルソース端の第2のネットワーク層のピア端に対応し、ポイント5が第1のネットワークトンネルソース端の第3のネットワーク層のピア端に対応し、ポイント8が第2のネットワークトンネルソース端の第1のネットワーク層に対応し、ポイント9が第2のネットワークトンネルソース端の第2のネットワーク層に対応し、ポイント10が第2のネットワークトンネルの第3のネットワーク層に対応し、ポイント12が第2のネットワークトンネルの第3のネットワーク層のピア端に対応し、ポイント13が第2のネットワークトンネルの第2のネットワーク層のピア端に対応し、ポイント14が第2のネットワークトンネルの第1のネットワーク層のピア端に対応する。ポイント1は、命令センターにより出されたネットワーク診断命令を受信し、診断メッセージをポイント7およびポイント2に送信し、ここで、診断メッセージは、特性情報を伝達し、ポイント2は診断メッセージをポイント6に送信する。ポイント3に関するネットワーク診断が、ポイント1もしくはポイント2が診断メッセージをポイント3に送信する、およびポイント3が診断メッセージをポイント5に送信する、2つの方法でトリガーされ得る。前述のプロセスは、第1のネットワークトンネルのネットワーク層間でネットワーク診断を実施する。具体的なクロスドメインプロセスは、ポイント1がクロス管理ドメイン通知情報をポイント7に送信すること、およびポイント7が診断メッセージをポイント8に送信することである。他の文脈では、第2のネットワークトンネルのためのネットワーク診断プロセスは、第1のネットワークトンネルのためのネットワーク診断プロセスと同様であり、本明細書では詳細について記述しない。
【００４８】
この実施形態では、特性情報が各種のネットワークトンネルの各種の層の診断情報で伝達されて、特性情報を使用して診断イベントの層および管理ドメインの関連付けが実現されることによって、各種のネットワーク層間または各種のネットワーク管理ドメイン間での診断結果の処理、分析および関連付けプロセスにおける効率の低下および精度の低下という課題を解決する。
【００４９】
図3は、本発明によるネットワーク診断処理方法の第2の実施形態のフローチャートである。図3に示すように、この実施形態の方法は以下を含み得る。
【００５０】
ステップ201：第2のネットワークトンネルソース端が、第1のネットワーク層で、第1のネットワークトンネルピア端により送信された診断メッセージを受信し、ここで、診断メッセージは特性情報を伝達する。
【００５１】
ステップ202：第2のネットワークトンネルソース端は、第1のネットワーク層で診断メッセージを第2のネットワークトンネルピア端の第1のネットワーク層および第2のネットワークトンネルソース端の第2のネットワーク層に送信し、ここで、診断メッセージは特性情報を伝達し、それにより、第2のネットワークトンネルピア端は、第1のネットワーク層で特性情報を含む診断結果を命令センターに報告する。
【００５２】
ステップ203：第2のネットワークトンネルソース端は、第2のネットワーク層で診断メッセージを第2のネットワークトンネルピア端の第2のネットワーク層に送信し、それにより、第1のネットワークトンネルピア端は、第2のネットワーク層で特性情報を含む診断結果を命令センターに報告する。
【００５３】
具体的に、第2のネットワークトンネルソース端は、第1のネットワーク層で、第1のネットワークトンネルピア端により送信された診断メッセージを受信して、第2のネットワークトンネルソース端の第1のネットワーク層をトリガーしてネットワーク診断を開始させる。第2のネットワークトンネルソース端が、第1のネットワーク層で、第1のネットワークトンネルピア端により送信された診断メッセージを受信した後、ネットワークトンネルソース端の第1のネットワーク層は、診断メッセージをネットワークトンネルピア端の第1のネットワーク層に送信し、ここで、診断メッセージは特性情報を伝達する。第2のネットワークトンネルソース端は、特性情報を診断メッセージに加え、それをトンネルピア端の第1のネットワーク層に送信し、それにより、ピア端の第1のネットワーク層は、診断結果を命令センターに報告するときに特性情報を診断結果に加える。加えて、第2のネットワークトンネルソース端の第1のネットワーク層は、診断メッセージをネットワークトンネルソース端の第2のネットワーク層に送信して、第2のネットワーク層をトリガーしてネットワーク診断を開始させ、ここで、診断メッセージは特性情報を伝達する。診断メッセージを受信した後、ネットワークトンネルソース端の第2のネットワーク層は、特性情報を伝達する診断メッセージをネットワークトンネルピア端の第2のネットワーク層に送信し、それにより、ネットワークトンネルピア端の第2のネットワーク層は、診断結果を命令センターに報告するときに特性情報を診断結果に加える。
【００５４】
第2のネットワークトンネルソース端の第3のネットワーク層をトリガーしてネットワーク診断を開始させるための2つの方式がある。
【００５５】
任意選択的に、
第2のネットワークトンネルソース端が、第2のネットワーク層で診断メッセージを第2のネットワークトンネルソース端の第3のネットワーク層に送信すること、および、
第2のネットワークトンネルソース端が、第3のネットワーク層で診断メッセージを第2のネットワークトンネルピア端の第3のネットワーク層に送信し、それにより、第2のネットワークトンネルピア端が、第3のネットワーク層で特性情報を含む診断結果を命令センターに報告することがさらに含まれる。
【００５６】
任意選択的に、
第2のネットワークトンネルソース端が、第1のネットワーク層で診断メッセージを第2のネットワークトンネルソース端の第3のネットワーク層に送信すること、および、
第2のネットワークトンネルソース端が、第3のネットワーク層で診断メッセージを第2のネットワークトンネルピア端の第3のネットワーク層に送信し、それにより、第2のネットワークトンネルピア端が、第3のネットワーク層で特性情報を含む診断結果を命令センターに報告することがさらに含まれる。
【００５７】
具体的に、第2のネットワークトンネルソース端は、第2のネットワーク層で診断メッセージをネットワークトンネルソース端の第3のネットワーク層に送信して、ネットワークトンネルソース端の第3のネットワーク層をトリガーしてネットワーク診断を開始させ、ここで、診断メッセージは特性情報を伝達し、それにより、ネットワークトンネルピア端の第3のネットワーク層は、診断結果を命令センターに報告するときに特性情報を診断結果に加える。第3のネットワーク層をトリガーするこのような方式は、マルチ層リンケージ診断方式と称される。代わりに、診断メッセージは、第2のネットワークトンネルソース端の第1のネットワーク層によってネットワークトンネルソース端の第3のネットワーク層に送信されて、ネットワークトンネルソース端の第3のネットワーク層をトリガーしてネットワーク診断を開始させてもよく、ここで、診断メッセージはまた特性情報を伝達し、それにより、ネットワークトンネルピア端の第3のネットワーク層は、診断結果を命令センターに報告するときに特性情報を診断結果に加える。
【００５８】
さらに、第1のネットワーク層はトンネル層であり、第2のネットワーク層はネットワークプロトコル層であり、第3のネットワーク層はデータリンク層である。
【００５９】
さらに、特性情報は、テナント情報およびテスト情報シリアル番号を含む。
【００６０】
さらに、特性情報は、診断メッセージのペイロードフィールドで伝達される。
【００６１】
具体的に、診断情報のペイロードフィールドが任意に満たされ、具体的な意味を有しないため、特性情報は、診断メッセージのペイロードフィールドで伝達され得る。
【００６２】
さらに、
第2のネットワークトンネルソース端が、第1のネットワーク層でクロス管理ドメイン通知情報を第2のネットワークトンネルの第1のネットワーク層のピア端の第1のネットワーク層に送信し、それにより、第2のネットワークトンネルピア端が、第1のネットワーク層で診断メッセージを第3のネットワークトンネルソース端の第1のネットワーク層に送信することがさらに含まれる。
【００６３】
さらに、
第2のネットワークトンネルソース端が、第2のネットワーク層でクロス管理ドメイン通知情報を第2のネットワークトンネルピア端の第2のネットワーク層に送信し、それにより、第2のネットワークトンネルピア端が、第2のネットワーク層で診断メッセージを第3のネットワークトンネルソース端の第2のネットワーク層に送信すること、
および／または、
第2のネットワークトンネルソース端が、第3のネットワーク層でクロス管理ドメイン通知情報を第2のネットワークトンネルピア端の第3のネットワーク層に送信し、それにより、第2のネットワークトンネルピア端が、第3のネットワーク層で診断メッセージを第3のネットワークトンネルソース端の第3のネットワーク層に送信することがさらに含まれる。
【００６４】
さらに、クロス管理ドメイン通知情報は、第2のネットワークトンネルソース端の各ネットワーク層により第2のネットワークトンネルピア端の対応するネットワーク層に送信される診断メッセージで伝達される。
【００６５】
具体的に、クロス管理ドメインネットワーク診断が、イーサネットOAMプロトコルを補うことにより実施され得る。例えば、仮想拡張ローカルエリアネットワークVXLANでは、VXLANヘッダのM番目のビットが「1」に設定されると、管理ドメインのクロッシングが実施され、すなわち、第1のネットワークトンネルソース端の第1のネットワーク層が、クロス管理ドメイン通知情報を第1のネットワークトンネルピア端の第1のネットワーク層に送信し、それにより、第1のネットワークトンネルピア端の第1のネットワーク層が、診断メッセージを第2のネットワークトンネルソース端の第1のネットワーク層に送信することが認められ得る。同様に、第1のネットワークトンネルピア端の第1のネットワーク層が、クロス管理ドメイン通知情報をネットワークトンネルピア端の第1のネットワーク層に送信するとき、第1のネットワークトンネルソース端の第2のネットワーク層または第3のネットワーク層も、クロス管理ドメイン通知情報を第1のネットワークトンネルピア端の第2のネットワーク層または第3のネットワーク層に送信し得る。クロス管理ドメイン通知情報は、第1のネットワークトンネルソース端の各ネットワーク層により第1のネットワークトンネルピア端の対応するネットワーク層に送信される診断メッセージで伝達される。
【００６６】
この実施形態では、特性情報が各種のネットワークトンネルの各種の層の診断情報で伝達されて、特性情報を使用して診断イベントの層および管理ドメインの関連付けが実現されることによって、各種のネットワーク層間または各種のネットワーク管理ドメイン間での診断結果の処理、分析および関連付けプロセスにおける効率の低下および精度の低下という課題を解決する。
【００６７】
図4は、本発明による命令センターの第1の実施形態の概略構成図である。図4に示すように、この実施形態の命令センターは、
ネットワーク診断命令を第1のネットワークトンネルソース端の第1のネットワーク層に送信するように構成され、それにより、第1のネットワーク層が診断メッセージを第1のネットワークトンネルピア端の第1のネットワーク層および第1のネットワークトンネルソース端の第2のネットワーク層に送信し、第1のネットワークトンネルソース端の第2のネットワーク層が、診断メッセージを第1のネットワークトンネルピア端の第2のネットワーク層に送信し、ここで、診断メッセージが特性情報を含む、送信モジュール301と、
第1のネットワークトンネルピア端の第1のネットワーク層、第2のネットワーク層、および第3のネットワーク層により診断メッセージに従って報告される診断結果を受信するように構成され、ここで、診断結果が特性情報を含む、第1の受信モジュール302と、
第1のネットワーク層、第2のネットワーク層、および第3のネットワーク層により報告される診断結果に関する関連付け分析を特性情報に従って実施するように構成された第1の関連付けモジュール303と、
第2のネットワークトンネルピア端の第1のネットワーク層、第2のネットワーク層、および第3のネットワーク層により診断メッセージに従って報告される診断結果を受信するように構成され、ここで、診断結果が特性情報を含む、第2の受信モジュール304と、
第1のネットワークトンネルピア端の第1のネットワーク層、第2のネットワーク層、および第3のネットワーク層により報告される診断結果ならびに第2のネットワークトンネルピア端の第1のネットワーク層、第2のネットワーク層、および第3のネットワーク層により報告される診断結果に関する関連付け分析を特性情報に従って実施するように構成された第2の関連付けモジュール305とを含み得る。
【００６８】
具体的に、第1の受信モジュールは、特性情報を含み第1のネットワークトンネルピア端の第1のネットワーク層、第2のネットワーク層、および第3のネットワーク層により報告される診断結果を受信し、第1の関連付けモジュールは、第1のネットワークの故障ポイントを発見するように、ネットワークトンネルの第1のネットワーク層、第2のネットワーク層、および第3のネットワーク層により報告される診断結果を特性情報による分析のために関連付ける。第2の受信モジュールは、第2のネットワークトンネルピア端に対応する第1のネットワーク層、第2のネットワーク層、および第3のネットワーク層により報告された診断結果を受信し、第2の関連付けモジュールは、ネットワークの故障ポイントを発見するように、全ての診断結果を診断結果に含まれる特性情報による分析のために関連付ける。
【００６９】
この実施形態では、命令センターは、送信モジュールを使用してネットワーク診断命令を第1のネットワークトンネルソース端の第1のネットワーク層に送信し、第1のネットワークトンネルピア端および第2のネットワークトンネルピア端の第1のネットワーク層、第2のネットワーク層および第3のネットワーク層により診断メッセージに従って報告される診断結果を受信し、ここで、診断結果は特性情報を含み、それによって、特性情報を使用して診断イベントの各種の層および各種の管理ドメインの関連付けを実現し、各種のネットワーク層間または各種のネットワーク管理ドメイン間での診断結果の処理、分析および関連付けプロセスにおける効率の低下および精度の低下という課題を解決する。
【００７０】
図5は、本発明によるネットワークノードデバイスの第1の実施形態の概略構成図である。図5に示すように、この実施形態のノードデバイスは、
第1のネットワーク層で、命令センターにより送信されたネットワーク診断命令を受信するように構成された受信モジュール501と、
第1のネットワーク層で診断メッセージを第1のネットワークトンネルピア端の第1のネットワーク層および第1のネットワークトンネルソース端の第2のネットワーク層に送信するように構成され、ここで、診断メッセージが特性情報を伝達し、それにより、第1のネットワークトンネルピア端が、第1のネットワーク層で特性情報を含む診断結果を命令センターに報告する、第1の送信モジュール502と、
第2のネットワーク層で診断メッセージを第1のネットワークトンネルピア端の第2のネットワーク層に送信するように構成され、それにより、第1のネットワークトンネルピア端が、第2のネットワーク層で特性情報を含む診断結果を命令センターに報告する、第2の送信モジュール503とを含み得る。
【００７１】
さらに、第1のネットワーク層はトンネル層であり、第2のネットワーク層はネットワークプロトコル層であり、第3のネットワーク層はデータリンク層である。
【００７２】
さらに、特性情報は、テナント情報およびテスト情報シリアル番号を含む。
【００７３】
さらに、特性情報は、診断情報のペイロードフィールドで伝達される。
【００７４】
図1に示す方法実施形態の技術的解決策を実施するように、この実施形態のデバイスを構成することができる。これらの実施原理および技術的効果は同様であり、本明細書では詳細について記述しない。
【００７５】
図6は、本発明によるネットワークノードデバイスの第2の実施形態の概略構成図である。図6に示すように、図5に示すデバイス構成に基づいて、この実施形態のデバイスは、
第2のネットワーク層で診断メッセージを第1のネットワークトンネルソース端の第3のネットワーク層に送信するように構成された第3の送信モジュール504と、
第3のネットワーク層で診断メッセージを第1のネットワークトンネルピア端の第3のネットワーク層に送信するように構成され、それにより、第1のネットワークトンネルピア端が、第3のネットワーク層で特性情報を含む診断結果を命令センターに報告する、第4の送信モジュール505とをさらに含み得る。
【００７６】
図1に示す方法実施形態の技術的解決策を実施するように、この実施形態のデバイスを構成することができる。これらの実施原理および技術的効果は同様であり、本明細書では詳細について記述しない。
【００７７】
図7は、本発明によるネットワークノードデバイスの第3の実施形態の概略構成図である。図7に示すように、図5に示すデバイス構成に基づいて、この実施形態のデバイスは、
第1のネットワーク層で診断メッセージを第1のネットワークトンネルソース端の第3のネットワーク層に送信するように構成された第5の送信モジュール506と、
第3のネットワーク層で診断メッセージを第1のネットワークトンネルピア端の第3のネットワーク層に送信するように構成され、それにより、第1のネットワークトンネルピア端が、第3のネットワーク層で特性情報を含む診断結果を命令センターに報告する、第6の送信モジュール507とをさらに含み得る。
【００７８】
図1に示す方法実施形態の技術的解決策を実施するように、この実施形態のデバイスを構成することができる。これらの実施原理および技術的効果は同様であり、本明細書では詳細について記述しない。
【００７９】
図8aは、本発明によるネットワークノードデバイスの第4の実施形態の概略構成図である。図8aに示すように、図6に示すデバイス構成に基づいて、この実施形態のデバイスは、
第1のネットワーク層でクロス管理ドメイン通知情報を第1のネットワークトンネルピア端の第1のネットワーク層に送信するように構成され、それにより、第1のネットワークトンネルピア端が、第1のネットワーク層で診断メッセージを第2のネットワークトンネルソース端の第1のネットワーク層に送信する、第7の送信モジュール508をさらに含み得る。
【００８０】
図1に示す方法実施形態の技術的解決策を実施するように、この実施形態のデバイスを構成することができる。これらの実施原理および技術的効果は同様であり、本明細書では詳細について記述しない。
【００８１】
図8bは、本発明によるネットワークノードデバイスの第5の実施形態の概略構成図である。図8bに示すように、図7に示すデバイス構成に基づいて、この実施形態のデバイスは、
第1のネットワーク層でクロス管理ドメイン通知情報を第1のネットワークトンネルピア端の第1のネットワーク層に送信するように構成され、それにより、第1のネットワークトンネルピア端が、第1のネットワーク層で診断メッセージを第2のネットワークトンネルソース端の第1のネットワーク層に送信する、第7の送信モジュール508をさらに含み得る。
【００８２】
図1に示す方法実施形態の技術的解決策を実施するように、この実施形態のデバイスを構成することができる。これらの実施原理および技術的効果は同様であり、本明細書では詳細について記述しない。
【００８３】
図9aは、本発明によるネットワークノードデバイスの第6の実施形態の概略構成図である。図9aに示すように、図8aに示すデバイス構成に基づいて、この実施形態のデバイスは、
第8の送信モジュール509をさらに含み得、同モジュールは、第2のネットワーク層でクロス管理ドメイン通知情報を第1のネットワークトンネルピア端の第2のネットワーク層に送信するように構成され、それにより、第1のネットワークトンネルピア端が、第2のネットワーク層で診断メッセージを第2のネットワークトンネルソース端の第2のネットワーク層に送信し、
および／または、
第3のネットワーク層でクロス管理ドメイン通知情報を第1のネットワークトンネルピア端の第3のネットワーク層に送信するように構成され、それにより、第1のネットワークトンネルピア端が、第3のネットワーク層で診断メッセージを第2のネットワークトンネルソース端の第3のネットワーク層に送信する。
【００８４】
図1に示す方法実施形態の技術的解決策を実施するように、この実施形態のデバイスを構成することができる。これらの実施原理および技術的効果は同様であり、本明細書では詳細について記述しない。
【００８５】
図9bは、本発明によるネットワークノードデバイスの第7の実施形態の概略構成図である。図9bに示すように、図8bに示すデバイス構成に基づいて、この実施形態のデバイスは、
第8の送信モジュール509をさらに含み得、同モジュールは、第2のネットワーク層でクロス管理ドメイン通知情報を第1のネットワークトンネルピア端の第2のネットワーク層に送信するように構成され、それにより、第1のネットワークトンネルピア端が、第2のネットワーク層で診断メッセージを第2のネットワークトンネルソース端の第2のネットワーク層に送信し、
および／または、
第3のネットワーク層でクロス管理ドメイン通知情報を第1のネットワークトンネルピア端の第3のネットワーク層に送信するように構成され、それにより、第1のネットワークトンネルピア端が、第3のネットワーク層で診断メッセージを第2のネットワークトンネルソース端の第3のネットワーク層に送信する。
【００８６】
図1に示す方法実施形態の技術的解決策を実施するように、この実施形態のデバイスを構成することができる。これらの実施原理および技術的効果は同様であり、本明細書では詳細について記述しない。
【００８７】
図10は、本発明によるネットワークノードデバイスの第8の実施形態の概略構成図である。図10に示すように、この実施形態のデバイスは、
第1のネットワーク層で、第1のネットワークトンネルピア端により送信された診断メッセージを受信するように構成され、ここで、診断メッセージが特性情報を含む、受信モジュール1001と、
第1のネットワーク層で診断メッセージを第2のネットワークトンネルピア端の第1のネットワーク層および第2のネットワークトンネルソース端の第2のネットワーク層に送信するように構成され、ここで、診断メッセージが特性情報を伝達し、それにより、第2のネットワークトンネルピア端が、第1のネットワーク層で特性情報を含む診断結果を命令センターに報告する、第1の送信モジュール1002と、
第2のネットワーク層で診断メッセージを第2のネットワークトンネルピア端の第2のネットワーク層に送信するように構成され、それにより、第2のネットワークトンネルピア端が、第2のネットワーク層で特性情報を含む診断結果を命令センターに報告する、第2の送信モジュール1003とを含み得る。
【００８８】
さらに、第1のネットワーク層はトンネル層であり、第2のネットワーク層はネットワークプロトコル層であり、第3のネットワーク層はデータリンク層である。
【００８９】
さらに、特性情報は、テナント情報およびテスト情報シリアル番号を含む。
【００９０】
さらに、特性情報は、診断情報のペイロードフィールドで伝達される。
【００９１】
図3に示す方法実施形態の技術的解決策を実施するように、この実施形態のデバイスを構成することができる。これらの実施原理および技術的効果は同様であり、本明細書では詳細について記述しない。
【００９２】
図11は、本発明によるネットワークノードデバイスの第9の実施形態の概略構成図である。図11に示すように、この実施形態のネットワークデバイスは、プロセッサ1101およびインターフェイス回路1102を含み得る。図は、メモリ1103およびバス1104をさらに示し、ここで、プロセッサ1101、インターフェイス回路1102、およびメモリ1103は、バス1104により接続されて互いの間で通信を実施する。
【００９３】
バス1104は、例えば、業界標準アーキテクチャ（Industry Standard Architecture、略してISA）バス、ペリフェラルコンポーネントインターコネクト（Peripheral Component Interconnect、略してPCI）バス、アイスクウェアシー（Inter-Integrated Circuit、略してI2C）バスその他であり得る。バス1104は、アドレスバス、データバス、コントロールバスその他に区分され得る。例示の便宜上、バスは、図11に太線により表されており、それは、1つだけのバスまたは1種類だけのバスがあることを示していない。
【００９４】
メモリ1103は、実行可能なプログラムコードを記憶するように構成され、ここで、プログラムコードはコンピュータ動作命令を含む。メモリ1103は、ランダムアクセスメモリ（random-access memory、略してRAM）などの揮発性メモリ（volatile memory）、または、リードオンリーメモリ（read-only memory、略してROM）、フラッシュメモリ（flash memory）、ハードディスクドライブ（hard disk drive、略してHDD）、もしくはソリッドステートドライブ（solid-state drive、略してSSD）などの不揮発性メモリ（non-volatile memory、略してNVM）であり得る。
【００９５】
プロセッサ1101は、中央処理装置（central processing unit、略してCPU）であり得る。
【００９６】
プロセッサ1101は、メモリ1103に記憶された動作命令またはプログラムコードを呼び出して、本発明のこの実施形態において提供される仮想ローカルエリアネットワークインターフェイス処理方法を実施し得、ここで、方法は、
プロセッサ1101によって、インターフェイス回路1102を通じて、命令センターにより送信されたネットワーク診断命令を受信するステップと、
プロセッサ1101によって、インターフェイス回路1102を通じて診断メッセージを第1のネットワークトンネルピア端の第1のネットワーク層および第1のネットワークトンネルソース端の第2のネットワーク層に送信し、ここで、診断メッセージが特性情報を伝達し、それにより、第1のネットワークトンネルピア端が、第1のネットワーク層で特性情報を含む診断結果を命令センターに報告する、ステップと、
プロセッサ1101によって、インターフェイス回路1102を通じて診断メッセージを第1のネットワークトンネルピア端の第2のネットワーク層に送信し、それにより、第1のネットワークトンネルピア端が、第2のネットワーク層で特性情報を含む診断結果を命令センターに報告する、ステップとを含む。
【００９７】
プロセッサ1101は、インターフェイス回路1102を通じて診断メッセージを第1のネットワークトンネルソース端の第3のネットワーク層に送信し、
プロセッサ1101は、インターフェイス回路1102を通じて診断メッセージを第1のネットワークトンネルピア端の第3のネットワーク層に送信し、それにより、第1のネットワークトンネルピア端は、第3のネットワーク層で特性情報を含む診断結果を命令センターに報告する。
【００９８】
プロセッサ1101は、インターフェイス回路1102を通じて診断メッセージを第1のネットワークトンネルソース端の第3のネットワーク層に送信し、
プロセッサ1101は、インターフェイス回路1102を通じて診断メッセージを第1のネットワークトンネルピア端の第3のネットワーク層に送信し、それにより、第1のネットワークトンネルピア端は、第3のネットワーク層で特性情報を含む診断結果を命令センターに報告する。
【００９９】
プロセッサ1101は、インターフェイス回路1102を通じてクロス管理ドメイン通知情報を第1のネットワークトンネルピア端の第1のネットワーク層に送信し、それにより、第1のネットワークトンネルピア端は、第1のネットワーク層で診断メッセージを第2のネットワークトンネルソース端の第1のネットワーク層に送信する。
【０１００】
プロセッサ1101は、インターフェイス回路1102を通じてクロス管理ドメイン通知情報を第1のネットワークトンネルピア端の第2のネットワーク層に送信し、それにより、第1のネットワークトンネルピア端は、第2のネットワーク層で診断メッセージを第2のネットワークトンネルソース端の第2のネットワーク層に送信し、
および／または、
プロセッサ1101は、インターフェイス回路1102を通じてクロス管理ドメイン通知情報を第1のネットワークトンネルピア端の第3のネットワーク層に送信し、それにより、第1のネットワークトンネルピア端は、第3のネットワーク層で診断メッセージを第2のネットワークトンネルソース端の第3のネットワーク層に送信する。
【０１０１】
図12は、本発明によるネットワークノードデバイスの第10の実施形態の概略構成図である。図12に示すように、この実施形態のネットワークデバイスは、プロセッサ1201およびインターフェイス回路1202を含み得る。図は、メモリ1203およびバス1204をさらに示し、ここで、プロセッサ1201、インターフェイス回路1202、およびメモリ1203は、バス1204により接続されて互いの間で通信を実施する。
【０１０２】
バス1204は、業界標準アーキテクチャ（Industry Standard Architecture、略してISA）バス、ペリフェラルコンポーネントインターコネクト（Peripheral Component Interconnect、略してPCI）バス、アイスクウェアシー（Inter-Integrated Circuit、略してI2C）バスその他であり得る。バス1204は、アドレスバス、データバス、コントロールバスその他に区分され得る。例示の便宜上、バスは、図12に太線により表されており、それは、1つだけのバスまたは1種類だけのバスがあることを示していない。
【０１０３】
メモリ1203は、実行可能なプログラムコードを記憶するように構成され、ここで、プログラムコードはコンピュータ動作命令を含む。メモリ1203は、ランダムアクセスメモリ（random-access memory、略してRAM）などの揮発性メモリ、または、リードオンリーメモリ（read-only memory、略してROM）、フラッシュメモリ（flash memory）、ハードディスクドライブ（hard disk drive、略してHDD）、もしくはソリッドステートドライブ（solid-state drive、略してSSD）などの不揮発性メモリ（non-volatile memory、略してNVM）であり得る。
【０１０４】
プロセッサ1201は、中央処理装置（central processing unit、略してCPU）であり得る。
【０１０５】
プロセッサ1201は、メモリ1203に記憶された動作命令またはプログラムコードを呼び出して、本発明のこの実施形態において提供される仮想ローカルエリアネットワークインターフェイス処理方法を実施し得、ここで、方法は、
プロセッサ1201によって、インターフェイス回路1202を通じて、第1のネットワークトンネルピア端により送信された診断メッセージを受信し、ここで、診断メッセージが特性情報を含む、ステップと、
プロセッサ1201によって、インターフェイス回路1202を通じて診断メッセージを第2のネットワークトンネルピア端の第1のネットワーク層および第2のネットワークトンネルソース端の第2のネットワーク層に送信し、ここで、診断メッセージが特性情報を伝達し、それにより、第2のネットワークトンネルピア端が、第1のネットワーク層で特性情報を含む診断結果を命令センターに報告する、ステップと、
プロセッサ1201によって、インターフェイス回路1202を通じて診断メッセージを第2のネットワークトンネルピア端の第2のネットワーク層に送信し、それにより、第1のネットワークトンネルピア端が、第2のネットワーク層で特性情報を含む診断結果を命令センターに報告する、ステップとを含む。
【０１０６】
プロセッサ1201は、インターフェイス回路1202を通じて診断メッセージを第2のネットワークトンネルソース端の第3のネットワーク層に送信し、
プロセッサ1201は、インターフェイス回路1202を通じて診断メッセージを第2のネットワークトンネルピア端の第3のネットワーク層に送信し、それにより、第2のネットワークトンネルピア端は、第3のネットワーク層で特性情報を含む診断結果を命令センターに報告する。
【０１０７】
プロセッサ1201は、インターフェイス回路1202を通じて診断メッセージを第2のネットワークトンネルソース端の第3のネットワーク層に送信し、
プロセッサ1201は、インターフェイス回路1202を通じて診断メッセージを第2のネットワークトンネルピア端の第3のネットワーク層に送信し、それにより、第2のネットワークトンネルピア端は、第3のネットワーク層で特性情報を含む診断結果を命令センターに報告する。
【０１０８】
プロセッサ1201は、インターフェイス回路1202を通じてクロス管理ドメイン通知情報を第2のネットワークトンネルの第1のネットワーク層のピア端の第1のネットワーク層に送信し、それにより、第2のネットワークトンネルピア端は、第1のネットワーク層で診断メッセージを第3のネットワークトンネルソース端の第1のネットワーク層に送信する。
【０１０９】
プロセッサ1201は、インターフェイス回路1202を通じてクロス管理ドメイン通知情報を第2のネットワークトンネルピア端の第2のネットワーク層に送信し、それにより、第2のネットワークトンネルピア端は、第2のネットワーク層で診断メッセージを第3のネットワークトンネルソース端の第2のネットワーク層に送信し、
および／または、
プロセッサ1201は、インターフェイス回路1202を通じてクロス管理ドメイン通知情報を第2のネットワークトンネルピア端の第3のネットワーク層に送信し、それにより、第2のネットワークトンネルピア端は、第3のネットワーク層で診断メッセージを第3のネットワークトンネルソース端の第3のネットワーク層に送信する。
【０１１０】
図13は、本発明によるネットワークノードデバイスの第11の実施形態の概略構成図である。図13に示すように、この実施形態のネットワークデバイスは、プロセッサ1301およびインターフェイス回路1302を含み得る。図は、メモリ1303およびバス1304をさらに示し、ここで、プロセッサ1301、インターフェイス回路1302、およびメモリ1303は、バス1304により接続されて互いの間で通信を実施する。
【０１１１】
バス1304は、業界標準アーキテクチャ（Industry Standard Architecture、略してISA）バス、ペリフェラルコンポーネントインターコネクト（Peripheral Component Interconnect、略してPCI）バス、またはアイスクウェアシー（Inter-Integrated Circuit、略してI2C）バスであり得る。バス1304は、アドレスバス、データバス、コントロールバスその他に区分され得る。例示の便宜上、バスは、図13に太線により表されており、それは、1つだけのバスまたは1種類だけのバスがあることを示していない。
【０１１２】
メモリ1303は、実行可能なプログラムコードを記憶するように構成され、ここで、プログラムコードはコンピュータ動作命令を含む。メモリ1303は、ランダムアクセスメモリ（random-access memory、略してRAM）などの揮発性メモリ（volatile memory）、リードオンリーメモリ（read-only memory、略してROM）、フラッシュメモリ（flash memory）、ハードディスクドライブ（hard disk drive、略してHDD）、もしくはソリッドステートドライブ（solid-state drive、略してSSD）などの不揮発性メモリ（non-volatile memory、略してNVM）であり得る。
【０１１３】
プロセッサ1301は、中央処理装置（central processing unit、略してCPU）であり得る。
【０１１４】
プロセッサ1301は、メモリ1303に記憶された動作命令またはプログラムコードを呼び出して、本発明のこの実施形態において提供される仮想ローカルエリアネットワークインターフェイス処理方法を実施し得、ここで、方法は、
プロセッサ1301によって、インターフェイス回路1302を通じてネットワーク診断命令を第1のネットワークトンネルソース端の第1のネットワーク層に送信し、それにより、第1のネットワーク層が診断メッセージを第1のネットワークトンネルピア端の第1のネットワーク層および第1のネットワークトンネルソース端の第2のネットワーク層に送信し、第1のネットワークトンネルソース端が、第2のネットワーク層で診断メッセージを第1のネットワークトンネルピア端の第2のネットワーク層に送信し、ここで、診断メッセージが特性情報を含む、ステップと、
プロセッサ1301によって、インターフェイス回路1302を通じて、第1のネットワークトンネルピア端の第1のネットワーク層および第2のネットワーク層により診断メッセージに従って報告される診断結果を受信し、ここで、診断結果が特性情報を含む、ステップと、
プロセッサ1301によって、第1のネットワーク層および第2のネットワーク層により報告された診断結果の関連付け分析を特性情報に従って実施するステップとを含む。
【０１１５】
プロセッサ1301は、インターフェイス回路1302を通じて、第1のネットワークトンネルピア端の第3のネットワーク層により報告された診断結果を受信し、
プロセッサ1301は、インターフェイス回路1302を通じて、第2のネットワークトンネルピア端の第1のネットワーク層、第2のネットワーク層、および第3のネットワーク層により診断メッセージに従って報告される診断結果を受信し、ここで、診断結果が特性情報を含む。
【０１１６】
当業者は、方法実施形態のステップの全てまたは一部がプログラム命令関連ハードウェアにより実施され得ることを理解し得る。プログラムは、コンピュータ読取り可能な記憶媒体に記憶され得る。プログラムが起動すると、方法の実施形態のステップが実施される。前述の記憶媒体は、プログラムコードを記憶できる、ROM、RAM、磁気ディスク、または光ディスクなどの任意の媒体を含む。
【０１１７】
最後に、前述の実施形態が本発明の技術的解決策を記述することを意図するにすぎず、本発明を限定することを意図しないことが留意されるべきである。本発明は、前述の実施形態を参照して詳細に記述されるが、当業者は、本発明の実施形態の技術的解決策の範囲から逸脱せずに、前述の実施形態に記述される技術的解決策に修正を施したり、それらの技術的特徴の一部または全てを等価に置き換えたりし得ることを理解するべきである。
【符号の説明】
【０１１８】
301  送信モジュール
302  第1の受信モジュール
303  第1の関連付けモジュール
304  第2の受信モジュール
305  第2の関連付けモジュール
501  受信モジュール
502  第1の送信モジュール
503  第2の送信モジュール
504  第3の送信モジュール
505  第4の送信モジュール
506  第5の送信モジュール
507  第6の送信モジュール
508  第7の送信モジュール
509  第8の送信モジュール
1001  受信モジュール
1002  第1の送信モジュール
1003  第2の送信モジュール
1101  プロセッサ
1102  インターフェイス回路
1103  メモリ
1104  バス
1201  プロセッサ
1202  インターフェイス回路
1203  メモリ
1204  バス
1301  プロセッサ
1302  インターフェイス回路
1303  メモリ
1304  バス
【図１】
0006305556.tif 000002
【図２】
0006305556.tif 000003
【図３】
0006305556.tif 000004
【図４】
0006305556.tif 000005
【図５】
0006305556.tif 000006
【図６】
0006305556.tif 000007
【図７】
0006305556.tif 000008
【図８ａ】
0006305556.tif 000009
【図８ｂ】
0006305556.tif 000010
【図９ａ】
0006305556.tif 000011
【図９ｂ】
0006305556.tif 000012
【図１０】
0006305556.tif 000013
【図１１】
0006305556.tif 000014
【図１２】
0006305556.tif 000015
【図１３】
0006305556.tif 000016